(57)【要約】【課題】ガードワイヤ等の取付作業性が良く、吹出口の両側壁近辺に露付きが発生し難い空気調和機の室内機を提供する。【解決手段】本体に形成した吸込口と吹出口とを結ぶ空気通路に熱交換器と送風ファンとを設け、吹出口にガードワイヤ７を設けてなる空気調和機の室内機において、例えば、吹出口の左側壁にガードワイヤ７の左先端部を嵌合する凹部を設け、同吹出口の右側壁にガードワイヤ７を挿通する挿通孔を設ける一方、同挿通孔に挿通されたガードワイヤ７の右先端を当接させて挟持する挟持部と、同挟持部へ前記ガードワイヤ７の右先端部を案内する案内溝とを備えたガード押さえ８を形成し、同ガード押さえ８を吹出口の右側壁５Ａの外側に装着することにより、ガードワイヤ７を固定する。【選択図】  図４
2004251468.tif 000002
【特許請求の範囲】
【請求項１】
本体上部の吸込口と、同本体下部の吹出口とを結ぶ空気通路に、熱交換器と送風ファンとを設け、前記吹出口に吹出風を上下に調節する上下風向板を設け、同吹出口の奥に前記吹出風を左右に調節する複数の左右風向板を設け、同左右風向板に設けた複数の挿通孔に手指の差し込みを防止するガードワイヤを挿通し、同ガードワイヤの両端を前記吹出口の両側壁側で固定してなる空気調和機の室内機において、前記吹出口の一側壁に前記ガードワイヤの一端を嵌合する凹部を形成し、他側壁に前記ガードワイヤの先端部を挿通する挿通孔を設ける一方、同挿通孔に挿通された前記ガードワイヤの先端を当接させて挟持する挟持部と、同挟持部へ前記ガードワイヤの先端部を案内する案内溝とを備えたガード押さえを形成し、同ガード押さえを前記吹出口の他側壁の外側に装着するようにしてなることを特徴とする空気調和機の室内機。
【発明の詳細な説明】
【０００１】
【発明の属する技術分野】
本発明は空気調和機の室内機に係わり、より詳しくは、吹出口に回動自在に軸支した左右風向板群を挿通して設けられるガードワイヤの取付構造に関する。
【０００２】
【従来の技術】
従来の室内機は、例えば、図１と図７で示すように、本体１に形成した吸込口２と吹出口５とを結ぶ空気通路に熱交換器３と送風ファン４とを設け、前記吹出口５に複数の左右風向板６を支軸６ａにて回動自在に軸支し、同左右風向板６の前方に上下風向板９を回動自在に軸支し、吹出口５の両側壁の内側の上部と下部とに設けた係止リブに合成樹脂で作製したガード支持体２０の上部に形成した係止爪と切欠溝（何れも図示省略）とを係止し、左右風向板６に設けた複数の挿通孔に綱線等で作製したガードワイヤ７を挿通し、前記ガード支持体２０の側面に形成した有底筒状体２０ａに、前記ガードワイヤ７の両端を嵌合し支持していた。
【０００３】
しかしながら、上記構成では、吹出口５に組み込む前に、予めばらけた状態のガードワイヤ７に左右風向板６を挿通し、ガードワイヤ７の両端にガード支持体２０を挿入しておき、次に左右風向板６を支軸６ａにて吹出口５に取り付けるとともに、ガード支持体２０を前記係止爪と切欠溝とで係止しなければならず、取付作業性が非常に悪いという問題点と、ガード支持体２０と有底筒状体２０ａとが吹出口５の室内への開口部に近い位置に設けられているため、吹出風速が遅い前記吹出口５の両側壁近辺の吹出風に乱れが生じ、室内の空気を吹出口５側に巻き込み、吹出口５の両側壁近辺に所謂露付きが発生し易いという問題点があり、これらの問題点を解消しようとした室内機としては（例えば、特許文献１参照）があるが、同文献の図２および図３に示されているような構成のものでは押え板８の取付スペースが大きくなってしまい、また、図５および図６に示されているような構成のものでは、押え板８の係止爪８ａが吹出口５内に突出した状態となり、多少ではあるが吹出風の流れを乱し、また、外部からその係止爪８ａが見えるという欠点もあった。
【０００４】
【特許文献１】
特開平１１ー１１８１８６公報（第３ー４頁、第１図ー第６図）
【０００５】
【発明が解決しようとする課題】
本発明においては、上記の問題点に鑑み、吹出口に回動自在に軸支された左右風向板群を挿通して設けられるガードワイヤを、コスト的に有利な構成で容易に取り付けることができ、かつ、吹出口の両側壁付近に露付きが発生し難い空気調和機の室内機を提供することを目的としている。
【０００６】
【課題を解決するための手段】
本発明は上記の課題を解決するためになされたもので、本体上部の吸込口と、同本体下部の吹出口とを結ぶ空気通路に、熱交換器と送風ファンとを設け、前記吹出口に吹出風を上下に調節する上下風向板を設け、同吹出口の奥に前記吹出風を左右に調節する複数の左右風向板を設け、同左右風向板に設けた複数の挿通孔に手指の差し込みを防止するガードワイヤを挿通し、同ガードワイヤの両端を前記吹出口の両側壁側で固定してなる空気調和機の室内機において、前記吹出口の一側壁に前記ガードワイヤの一端を嵌合する凹部を形成し、他側壁に前記ガードワイヤの先端部を挿通する挿通孔を設ける一方、同挿通孔に挿通された前記ガードワイヤの先端を当接させて挟持する挟持部と、同挟持部へ前記ガードワイヤの先端部を案内する案内溝とを備えたガード押さえを形成し、同ガード押さえを前記吹出口の他側壁の外側に装着するようにしてなる構成とする。
【０００７】
【発明の実施の形態】
以下、本発明の実施の形態を図１〜図６に基づいて説明する。
図１は室内機の内部構成を示す要部側断面図、図２〜図６は同室内機の要部拡大図である。
【０００８】
図において、１は空気調和機の室内機本体、２は同本体１に着脱可能に被せられた前面カバーと上面部とに設けられた吸込口、３は同吸込口２と後述する吹出口とを結ぶ空気通路に設けられた熱交換器、４は同熱交換器３により熱交換された空気を後述する吹出口に送出する送風ファン、５は熱交換された空気を室内に向けて吹き出すための合成樹脂製の送風ケーシング５Ａからなる吹出口、６は同吹出口５の奥に支軸６ａで回動自在に軸支された左右風向板（左右風向板群）、７は同左右風向板６の挿通孔６ｂと前記吹出口５の右側壁５Ｒに形成した挿通孔５ａとに挿通し、左端を前記吹出口５の左側壁５Ｌ（図６参照）に形成した凹部５ｂに嵌合して設けられた綱線等にて作製されたガードワイヤ、８は同ガイドワイヤ７の右端に当接させ、同ガイドワイヤ７の右端部を挟持するように形成された合成樹脂製のガード押さえ（図４、図５参照）、９は前記左右風向板６の前方に回動自在に軸支された上下風向板である。
【０００９】
ガード押さえ８には、例えば図５に示すように、使用するガードワイヤ７の本数に対応した挟持部８ａ、８ｂ、８ｃ、８ｄと、同挟持部８ａ、８ｂ、８ｃ、８ｄへ前記ガードワイヤ７の先端部を案内する案内溝８ａ’、８ｂ’、８ｃ’、８ｄ’とを備えたものになっており、図４に示すように吹出口５の右側壁の外側に設けられているスペースに装着するようになっている。なお、案内溝８ａ’、８ｂ’、８ｃ’、８ｄ’は何れもその入口側を広くして、ガードワイヤ７の導入を容易にしている。また、挟持部８ａ、８ｂ、８ｃ、８ｄの内、少なくともその一つにはガードワイヤ７を強く挟持するための凸部または凹凸（図示省略）が形成されている。
【００１０】
上記の構成にて、ガードワイヤ７の組立手順を次に説明する。吹出口５に支軸６ａにて左右風向板群６を取付ける。吹出口５の右側壁５Ｒの挿通孔５ａより、ガードワイヤ７を挿通し、左右風向板群６の挿通孔６ｂに挿通後、吹出口５の左側壁５Ｌの凹部５ｂに嵌合する。吹出口５の右側壁５Ｒの挿通孔５ａより外側に突出しているガードワイヤ７の先端部にガード押さえ８の案内溝８ａ’、８ｂ’、８ｃ’、８ｄ’を合わせ、ガード押さえ８を押し込むことにより、ガードワイヤ７の先端部が挟持部８ａ、８ｂ、８ｃ、８ｄによってそれぞれ挟持され、ガードワイヤ７の動きが規制される。
【００１１】
図２は組立後（ただし、左右風向板６の図示は省略）の吹出口５の一側内部を示したものであるが、先に説明したようなガード押さえ８を用いれば右側壁５Ｒの内側から吹出風を乱すようなものがなくなり、吹出口５内部の露付きを防止することができるとともに、ガード押さえ８は構造が単純で室内機への取付および金型の製作が容易であり、組立および金型のコストを低減することができる。
【００１２】
【発明の効果】
以上説明したように、本発明によれば、ガードワイヤ等の取付作業性が良く、吹出口の両側壁近辺に露付きが発生し難い室内機の提供が可能になる。
【図面の簡単な説明】
【図１】本発明および従来例に係わる室内機の要部側断面図である。
【図２】本発明の実施の形態を示す吹出口右側壁側の要部斜視図である。
【図３】本発明のガード押さえ取付前の吹出口右側壁側の要部斜視図である。
【図４】本発明のガード押さえ取付後の吹出口右側壁側の要部斜視図である。
【図５】本発明のガード押さえ示したもので、（Ａ）はその正面図、（Ｂ）はその裏面図である。
【図６】本発明の実施の形態を示す吹出口の左側壁側の要部断面図である。
【図７】従来例を示す吹出口の右側壁側の要部斜視図である。
【符号の説明】
１  空気調和機の室内機本体
２  吸込口
３  熱交換器
４  送風ファン
５  吹出口
５Ａ  送風ケーシング
５Ｒ  右側壁
５Ｌ  左側壁
５ａ  挿通孔
５ｂ  凹部
６  左右風向板（左右風向板群）
６ａ  支軸
６ｂ  挿通孔
７  ガードワイヤ
８  ガード押さえ
８ａ、８ｂ、８ｃ、８ｄ  挟持部
８ａ’、８ｂ’、８ｃ’、８ｄ’  案内溝
９  上下風向板
【図１】
2004251468.tif 000003
【図２】
2004251468.tif 000004
【図３】
2004251468.tif 000005
【図４】
2004251468.tif 000006
【図５】
2004251468.tif 000007
【図６】
2004251468.tif 000008
【図７】
2004251468.tif 000009